(57)【要約】      （修正有）【課題】蓋内フラップの内側への垂れ下がりを防止できる封函作業が比較的簡単な箱用シートを提供する。【解決手段】箱用シートは、箱型に組み立て可能な一枚のシート材から構成され、組み立て状態でそれぞれ対向する一対の長辺壁板１、２及び一対の短辺壁板３、４を有する四角筒状部５と、長辺壁板の上縁からそれぞれ延出する一対の蓋外フラップ６、７と、短辺壁板の上縁からそれぞれ延出する一対の蓋内フラップ８、９とを備え、長辺壁板が、その上縁に沿って形成される上部切り込み１６と、上部切り込みの両端から下方に延出する一対の側部切り込み１７、１８とを有し、上部切り込み及び一対の側部切り込みによって画定される舌片１５が、組み立て状態で内側に傾動して蓋内フラップの下面に当接する。【選択図】図１
0003199167.tif 000002
【実用新案登録請求の範囲】
【請求項１】
箱型に組み立て可能な一枚のシート材から構成され、組み立て状態でそれぞれ対向する一対の長辺壁板及び一対の短辺壁板を有する四角筒状部と、上記長辺壁板の上縁からそれぞれ延出する一対の蓋外フラップと、上記短辺壁板の上縁からそれぞれ延出する一対の蓋内フラップとを備える箱用シートであって、
上記長辺壁板が、その上縁に沿って形成される上部切り込みと、この上部切り込みの両端から下方に延出する一対の側部切り込みとを有し、この上部切り込み及び一対の側部切り込みによって画定される舌片が、組み立て状態で内側に傾動されることにより上記蓋内フラップの下面に当接することを特徴とする箱用シート。
【請求項２】
上記各長辺壁板に、一対の蓋内フラップの一方側の下面に当接する一対の舌片がそれぞれ画定される請求項１に記載の箱用シート。
【請求項３】
上記長辺壁板に、上記舌片の下縁を画定するよう一対の側部切り込みの下端を結ぶ折り曲げ容易線が形成されている請求項１又は請求項２に記載の箱用シート。
【請求項４】
上記一対の側部切り込みの下端を結ぶ折り曲げ容易線が二重罫線である請求項３に記載の箱用シート。
【請求項５】
上記一対の側部切り込みの平均間隔が１５ｍｍ以上５０ｍｍ以下、かつ上記一対の側部切り込みの平均長さが１５ｍｍ以上５０ｍｍ以下である請求項１から請求項４のいずれか１項に記載の箱用シート。
【考案の詳細な説明】
【技術分野】
【０００１】
本考案は、箱用シートに関する。
【背景技術】
【０００２】
包装箱として、例えば段ボールシートから形成され、それぞれ対向する一対の長辺壁板及び一対の短辺壁板を有する四角筒状部と、上記長辺壁板の上縁からそれぞれ延出する一対の蓋外フラップと、上記短辺壁板の上縁からそれぞれ延出する一対の蓋内フラップと、上記長辺壁板の下縁からそれぞれ延出する一対の底外フラップと、上記短辺壁板の下縁からそれぞれ延出する一対の底内フラップとを備える段ボール箱用が広く使用されている。
【０００３】
このような段ボール箱では、蓋内フラップを四角筒状部の上端開口部内側に張り出させるよう折り込み、この蓋内フラップの上に蓋外フラップを折り重ねることで、箱体の上部開口が封止される。
【０００４】
一般に、蓋内フラップは、封函当初は段ボールシートの弾性によって蓋外フラップの下面に接する状態となるが、この段ボール箱を封函した状態で箱体の内部に空間がある場合、段ボール箱の輸送時の振動等に起因して、蓋内フラップが次第に箱体の内部に垂れ下がってくる可能性がある。
【０００５】
この段ボール箱に収容されている品物が傷付き易い場合、垂れ下がってきた蓋内フラップの延出側の端縁より品物が傷つけられるおそれがある。
【０００６】
そこで、蓋外フラップにその基端縁の二点間を結ぶような切り込みを設けることによって蓋外フラップから内側に折り曲げられる舌片を設け、この舌片の上に蓋内フラップを載置することで、蓋内フラップの垂れ下がりを防止することが提案されている（例えば実用新案登録第３１８２４７２号公報参照）。
【０００７】
しかしながら、上記公報に記載の構成では、各舌片を内側に折り曲げた状態で蓋内フラップを舌片の上に折り重ねる必要があり、封函作業が煩雑であり、一般的な封函機を用いて封函することもできない。
【先行技術文献】
【特許文献】
【０００８】
【特許文献１】実用新案登録第３１８２４７２号公報
【考案の概要】
【考案が解決しようとする課題】
【０００９】
上記不都合に鑑みて、本考案は、蓋内フラップの内側への垂れ下がりを防止できる封函作業が比較的簡単な箱用シートを提供することを課題とする。
【課題を解決するための手段】
【００１０】
上記課題を解決するためになされた考案は、箱型に組み立て可能な一枚のシート材から構成され、組み立て状態でそれぞれ対向する一対の長辺壁板及び一対の短辺壁板を有する四角筒状部と、上記長辺壁板の上縁からそれぞれ延出する一対の蓋外フラップと、上記短辺壁板の上縁からそれぞれ延出する一対の蓋内フラップとを備える箱用シートであって、上記長辺壁板が、その上縁に沿って形成される上部切り込みと、この上部切り込みの両端から下方に延出する一対の側部切り込みとを有し、この上部切り込み及び一対の側部切り込みによって画定される舌片が、組み立て状態で内側に傾動されることにより上記蓋内フラップの下面に当接することを特徴とする箱用シートである。
【００１１】
当該箱用シートは、長辺壁板に画定される舌片が組み立て状態で内側に傾動されることで蓋内フラップの下面に当接することによって、蓋内フラップが内側に垂れ下がることを防止できる。また、当該箱用シートは、通常の箱体と同様に蓋内フラップ及び蓋外フラップを折り重ねて封函した後、長辺壁板に画定される舌片を内側に傾動させればよいので、封函作業が比較的簡単である。
【００１２】
上記各長辺壁板に、一対の蓋内フラップの一方側の下面に当接する一対の舌片がそれぞれ画定されるとよい。このように、上記各長辺壁板に、一対の蓋内フラップの一方側の下面に当接する一対の舌片がそれぞれ画定されることによって、各蓋内フラップをそれぞれ両側から支持して、蓋内フラップの垂れ下がりをより確実に防止できる。
【００１３】
上記長辺壁板に、上記舌片の下縁を画定するよう一対の側部切り込みの下端を結ぶ折り曲げ容易線が形成されているとよい。このように、上記長辺壁板に、上記舌片の下縁を画定するよう一対の側部切り込みの下端を結ぶ折り曲げ容易線が形成されていることによって、舌片を箱体の内側に傾動させることが容易となる。
【００１４】
上記一対の側部切り込みの下端を結ぶ折り曲げ容易線が二重罫線であるとよい。このように、上記一対の側部切り込みの下端を結ぶ折り曲げ容易線が二重罫線であることによって、当該箱用シートを組み立ててなる箱体の内側に傾動させた舌片がシートの弾性により起き上がり、蓋内フラップを支持できなくなることを防止できる。
【００１５】
上記一対の側部切り込みの平均間隔としては１５ｍｍ以上５０ｍｍ以下が好ましく、上記一対の側部切り込みの平均長さとしては１５ｍｍ以上５０ｍｍ以下が好ましい。上記一対の側部切り込みの平均間隔及び平均長さがそれぞれ上記範囲内であることによって、蓋内フラップの内側への垂れ下がりを確実に防止すると共に、当該箱用シートを組み立ててなる箱体の隙間を不必要に増大させない。
【考案の効果】
【００１６】
本考案の箱用シートは、蓋内フラップの内側への垂れ下がりを防止でき、かつ封函作業が比較的簡単である。
【図面の簡単な説明】
【００１７】
【図１】本考案の一実施形態の箱用シートの展開状態の内面を示す模式的平面図である。
【図２】図１の箱用シートを組み立ててなる箱体の模式的斜視図である。
【図３】図１の箱用シートを組み立ててなる箱体の模式的断面図である。
【図４】本考案の図１とは異なる実施形態の箱用シートの展開状態の内面を示す模式的平面図である。
【図５】本考案の図１及び図４とは異なる実施形態の箱用シートの展開状態の内面を示す模式的平面図である。
【考案を実施するための形態】
【００１８】
以下、適宜図面を参照しつつ、本考案の実施の形態を詳説する。
【００１９】
［第一実施形態］
図１乃至図３に示す本考案の一実施形態の箱用シートは、箱型に組み立て可能であり、一枚のシート材から構成される。なお、図において太い線はシートを切断した切断線を示し、細い線はシート内面側に型押しして形成した罫線（折り曲げ容易線）を示す。
【００２０】
当該箱用シートを構成するシート材としては、例えば段ボールシート、プラスチックボード、ボール紙等を用いることができ、中でも段ボールシートが好適に用いられる。
【００２１】
上記段ボールシートとしては、一枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２２】
当該箱用シートは、組み立て状態でそれぞれ対向する一対の長辺壁板１，２及び一対の短辺壁板３，４を有する四角筒状部５と、上記長辺壁板１，２の上縁からそれぞれ延出する一対の蓋外フラップ６，７と、上記短辺壁板３，４の上縁からそれぞれ延出する一対の蓋内フラップ８，９と、上記長辺壁板１，２の下縁からそれぞれ延出する一対の底外フラップ１０，１１と、上記短辺壁板３，４の下縁からそれぞれ延出する一対の底内フラップ１２，１３とを備える。
【００２３】
一対の長辺壁板１，２及び一対の短辺壁板３，４は、それぞれ互いに等しい方形状に形成される。
【００２４】
四角筒状部５は、第１の長辺壁板１、第１の短辺壁板３、第２の長辺壁板２及び第２の短辺壁板４がこの順番に左右方向に連設され、第１の長辺壁板１の第１の短辺壁板３と反対側の側縁に連設される継しろ１４が第２の短辺壁板４の第２の長辺壁板２と反対側の側縁近傍の内面側に貼着されることによって四角筒状に形成される。
【００２５】
継しろ１４の第２の短辺壁板４への貼着は、接着剤を用いる方法の他、ステープラーを用いる方法としてもよい。
【００２６】
当該箱用シートは、第１の長辺壁板１を第１の短辺壁板３の内面側に折り重ね、第２の短辺壁板４を第２の長辺壁板２の内面側に折り重ねるようにして、継しろ１４を第２の短辺壁板４内面側に貼り合わせた状態（折り畳み状態）でユーザーに提供されることが企図される。上記折り畳み状態とすることで、複数の当該箱用シートを積み重ねることができ、かつ容易に箱型に組み立てることができる。
【００２７】
一対の長辺壁板１，２の左右方向の幅は、一対の短辺壁板３，４の左右方向の幅以上とされる。一対の長辺壁板１，２及び一対の短辺壁板３，４の上下方向の高さ及び左右方向の幅は、当該箱用シートを組み立ててなる箱体に収容する品物に合わせて選択することができる。
【００２８】
当該箱用シートを組み立ててなる箱体に収容される品物としては、シート材のエッジによって傷付き易いものが想定される。具体的な品物としては、例えば生花、葉物野菜等が挙げられる。
【００２９】
一対の蓋外フラップ６，７と一対の底外フラップ１０，１１とは、当該箱用シートを組み立ててなる箱体を封函した状態で対向する。これらの蓋外フラップ６，７及び底外フラップ１０，１１は、等しい大きさの方形状に形成される。
【００３０】
同様に、一対の蓋内フラップ８，９と一対の底内フラップ１２，１３とは、当該箱用シートを組み立ててなる箱体を封函した状態で対向する。これらの蓋内フラップ８，９及び底内フラップ１２，１３は、等しい大きさの方形状に形成される。
【００３１】
一対の蓋外フラップ６，７及び一対の底外フラップ１０，１１の延出長さは、短辺壁板３，４の左右方向の幅の約１／２とされる。つまり、当該箱用シートを組み立ててなる箱体は、上部開口が一対の蓋外フラップ６，７の先端縁を突き合わせることで封止され、下部開口が一対の底外フラップ１０，１１の先端縁を突き合わせることで封止される。
【００３２】
一対の蓋内フラップ８，９及び一対の底内フラップ１２，１３の延出長さとしては、一対の蓋外フラップ６，７及び一対の底外フラップ１０，１１の延出長さと同じ長さとされることが好ましい。これにより、当該箱用シートを例えば段ボールシートの原板から効率よく切り出すことができる。
【００３３】
一対の長辺壁板１，２には、上部にそれぞれ一対、当該箱用シート全体では合計二対（４つ）の舌片１５が画定されている。これらの舌片１５は、蓋内フラップ８，９の下面に当接することによって、蓋内フラップ８，９が当該箱用シートを組み立ててなる箱体の内側に垂れ下がることを防止する支持体又はストッパーとして機能する。
【００３４】
＜舌片＞
各舌片１５は、長辺壁板１，２の上縁に沿って形成される上部切り込み１６と、この上部切り込み１６の両端から下方に延出する一対の側部切り込み１７，１８とによって画定される。また、長辺壁板１，２は、上記舌片１５の下縁を画定するよう一対の側部切り込み１７，１８の下端を結ぶ折り曲げ容易線１９を有することが好ましい。
【００３５】
上部切り込み１６は、長辺壁板１，２の上縁に形成することができる。これにより、舌片１５の位置を高くして、舌片１５と蓋外フラップ６，７との間の隙間を小さくすることで、蓋内フラップ８，９の遊びを小さくすることができる。
【００３６】
上記一対の側部切り込み１７，１８の平均間隔の下限としては、１５ｍｍが好ましく、２０ｍｍがより好ましい。一方、上記一対の側部切り込み１７，１８の平均間隔の上限としては、５０ｍｍが好ましく、４０ｍｍがより好ましい。上記一対の側部切り込み１７，１８の平均間隔が上記下限に満たない場合、舌片１５を指で傾動させることが容易ではなくなるおそれがある。一方、上記一対の側部切り込み１７，１８の平均間隔が上記上限を超える場合、当該箱用シートを組み立ててなる箱体において舌片１５を傾動させることにより形成される開口が不必要に大きくなり、収容される品物の保護が不十分となるおそれや、当該箱用シートを組み立ててなる箱体の強度が不十分となるがある。
【００３７】
上記一対の側部切り込み１７，１８の平均長さの下限としては、１５ｍｍが好ましく、２０ｍｍがより好ましい。一方、上記一対の側部切り込み１７，１８の平均長さの上限としては、５０ｍｍが好ましく、４０ｍｍがより好ましい。上記一対の側部切り込み１７，１８の平均長さが上記下限に満たない場合、舌片１５による蓋内フラップ８，９の支持が不確実となるおそれや、舌片１５を指で傾動させることが容易ではなくなるおそれがある。一方、上記一対の側部切り込み１７，１８の平均長さが上記上限を超える場合、蓋内フラップ８，９を支持する位置が低くなり、蓋内フラップ８，９の垂れ下がり防止効果が不十分となるおそれや、当該箱用シートを組み立ててなる箱体に舌片１５の傾動により形成される開口が不必要に大きくなったり、当該箱用シートを組み立ててなる箱体の強度が不十分となったりするおそれがある。
【００３８】
長辺壁板１，２の左右の側縁から舌片１５（側縁に近い側の側部切込み１７，１８）までの距離の下限としては、蓋内フラップ８，９の延出長さの４０％が好ましく、５０％がより好ましい。逆に、長辺壁板１，２の左右の側縁から舌片１５までの距離の上限としては、蓋内フラップ８，９の延出長さの９５％が好ましく、９０％がより好ましい。長辺壁板１，２の左右の側縁から舌片１５までの距離が上記下限に満たない場合、蓋内フラップ８，９の延出側の端縁が舌片１５よりも下方に垂れ下がり、蓋内フラップ８，９の垂れ下がり防止効果が不十分となるおそれがある。逆に、長辺壁板１，２の左右の側縁から舌片１５までの距離が上記上限を超える場合、実質的に蓋内フラップ８，９を支持する部分の左右方向の幅が小さくなり、蓋内フラップ８，９の垂れ下がり防止が不確実となるおそれがある。
【００３９】
舌片１５の下縁を画定する折り曲げ容易線１９は、図示するようにシートを型押しして形成される罫線で構成することができる他、例えばシートを断続的に切断したミシン目、シートの表層（段ボールシートにおけるライナー）だけを切断したハーフカット等で構成することもできる。
【００４０】
さらに、この折り曲げ容易線１９は、平行に延在する二本の罫線からなる二重罫線であることが好ましい。このように折り曲げ容易線１９を二重罫線で形成することによって、シートの強度を大きく低下させることなく、シートの腰（弾性）を十分に低減することができる。これにより、舌片１５は、当該箱用シートを組み立ててなる箱体の内側に傾動した状態からシートの弾性によって立ち上がり、蓋内フラップ８，９を支持不能となることを防止できる。
【００４１】
一対の側部切り込み１７，１８の下縁を結ぶ折り曲げ容易線１９を構成する二重罫線の間隔の下限としては、１ｍｍが好ましく、１．５ｍｍがより好ましい。一方、折り曲げ容易線１９を構成する二重罫線の間隔の上限としては、５ｍｍが好ましく、３ｍｍがより好ましい。折り曲げ容易線１９を構成する二重罫線の間隔が上記下限に満たない場合、シートの腰を十分低減できず、舌片１５の立ち上がりを防止できないおそれがある。逆に、折り曲げ容易線１９を構成する二重罫線の間隔が上記上限を超える場合、舌片１５が不必要に大型化して当該箱用シートを組み立ててなる箱体の隙間が不必要に大きくなるおそれがある。
【００４２】
［第二実施形態］
図４に示す本考案の図１とは異なる実施形態の箱用シートは、箱型に組み立て可能であり、一枚のシート材から構成さる。図４の箱用シートを構成するシート材としては、図１の箱用シートを構成するシート材と同様のものを用いることができる。
【００４３】
当該箱用シートは、組み立て状態でそれぞれ対向する一対の長辺壁板１，２及び一対の短辺壁板３，４を有する四角筒状部５と、上記長辺壁板１，２の上縁からそれぞれ延出する一対の蓋外フラップ６，７と、上記短辺壁板３，４の上縁からそれぞれ延出する一対の蓋内フラップ８，９と、上記長辺壁板１，２の下縁からそれぞれ延出する一対の底外フラップ１０，１１と、上記短辺壁板３，４の下縁からそれぞれ延出する一対の底内フラップ１２，１３と、第１の長辺壁板１と第２の短辺壁板４とを接続する継しろ１４とを備えている。
【００４４】
当該箱用シートにおいて、一対の長辺壁板１，２には、上部にそれぞれ一対、当該箱用シート全体では合計二対（４つ）の舌片１５が画定されている。これらの舌片１５は、蓋内フラップ８，９の下面に当接することによって、蓋内フラップ８，９が当該箱用シートを組み立ててなる箱体の内側に垂れ下がることを防止する支持体又はストッパーとして機能する。
【００４５】
図４の箱用シートにおける長辺壁板１，２、短辺壁板３，４、蓋内フラップ８，９、底外フラップ１０，１１、底内フラップ１２，１３及び継しろ１４は、舌片１５の形成される位置が異なる以外は、図１の箱用シートにおける長辺壁板１，２、短辺壁板３，４、蓋内フラップ８，９、底外フラップ１０，１１、底内フラップ１２，１３及び継しろ１４と同様である。このため、図４の箱用シートについて、図１の箱用シートと重複する説明は省略する。
【００４６】
＜舌片＞
各舌片１５は、長辺壁板１，２の上縁と略平行に形成される上部切り込み１６と、この上部切り込み１６の両端から下方に延出する一対の側部切り込み１７，１８とによって画定される。また、長辺壁板１，２は、上記舌片１５の下縁を画定するよう一対の側部切り込み１７，１８の下端を結ぶ折り曲げ容易線１９を有する。
【００４７】
図４の箱用シートにおける舌片１５は、図１の箱用シートにおける舌片１５よりも下方に形成されている以外は、図１の箱用シートにおける舌片１５と同様である。
【００４８】
当該箱用シートでは、各舌片１５の上部切り込み１６を長辺壁板１，２の上縁から離間して形成したので、当該箱用シートを組み立ててなる箱体を封函した状態において、長辺壁板１，２と蓋外フラップ６，７との間の折り曲げによりシート材にシワ等が生じても、このシワ等に干渉することなく舌片１５が内側に傾動することができる。
【００４９】
上記上部切り込み１６と長辺壁板１，２の上縁（蓋外フラップとの間の罫線）との平均間隔の下限としては、１ｍｍが好ましく、１．５ｍｍがより好ましい。一方、上部切り込み１６と長辺壁板１，２の上縁との平均間隔の上限としては、５ｍｍが好ましく、３ｍｍがより好ましい。上部切り込み１６と長辺壁板１，２の上縁との平均間隔が上記下限に満たない場合、長辺壁板１，２と蓋外フラップ６，７との間の折り曲げにより生じたシワ等によって舌片１５の内側への傾動が容易でなくなるおそれがある。逆に、上部切り込み１６と長辺壁板１，２の上縁との平均間隔が上記上限を超える場合、蓋内フラップ８，９を支持する位置が低くなり、蓋内フラップ８，９の垂れ下がり防止効果が不十分となるおそれがある。
【００５０】
＜利点＞
当該箱用シートは、箱型に組み立てて封函した状態で、長辺壁板１，２に画定される舌片１５を箱体の内側に傾動させて蓋内フラップ８，９の下面に当接させることによって、蓋内フラップ８，９を支持して、箱体の内側への垂れ下がりを防止することができる。
【００５１】
また、当該箱用シートを組み立ててなる箱体は、いわゆるＡ式の箱体と同様に蓋内フラップ８，９及び蓋外フラップ６，７を折り重ねて封函した後から、長辺壁板１，２に画定される舌片１５を内側に傾動さることによって、蓋内フラップ８，９の内側への垂れ下がりを防止できるので、封函作業が比較的簡単である。
【００５２】
［第三実施形態］
図５に示す本考案の図１及び図４とは異なる実施形態の箱用シートは、箱型に組み立て可能であり、一枚のシート材から構成さる。図５の箱用シートを構成するシート材としては、図１に箱用シートを構成するシート材と同様のものを用いることができる。
【００５３】
当該箱用シートは、組み立て状態でそれぞれ対向する一対の長辺壁板１，２及び一対の短辺壁板３，４を有し四角筒状部５と、上記長辺壁板１，２の上縁からそれぞれ延出する一対の蓋外フラップ６，７と、上記短辺壁板３，４の上縁からそれぞれ延出する一対の蓋内フラップ８，９と、上記長辺壁板１，２の下縁からそれぞれ延出する一対の底外フラップ１０，１１と、上記短辺壁板３，４の下縁からそれぞれ延出する一対の底内フラップ１２，１３と、第１の長辺壁板１と第２の短辺壁板４とを接続する継しろ１４とを備える。
【００５４】
当該箱用シートにおいて、一対の長辺壁板１，２には、上部にそれぞれ１つ、当該箱用シート全体では合計２つの舌片１５が画定されている。これらの舌片１５は、それぞれ蓋内フラップ８，９の両方の下面に当接することによって、蓋内フラップ８，９が当該箱用シートを組み立ててなる箱体の内側に垂れ下がることを防止する支持体又はストッパーとして機能する。
【００５５】
図５の箱用シートにおける長辺壁板１，２、短辺壁板３，４、蓋内フラップ８，９、底外フラップ１０，１１、底内フラップ１２，１３及び継しろ１４は、舌片１５の形状及び位置が異なる以外は、図１の箱用シートにおける長辺壁板１，２、短辺壁板３，４、蓋内フラップ８，９、底外フラップ１０，１１、底内フラップ１２，１３及び継しろ１４と同様である。このため、図５の箱用シートについて、図１の箱用シートと重複する説明は省略する。
【００５６】
＜舌片＞
各舌片１５は、長辺壁板１，２の上縁に形成される上部切り込み１６と、この上部切り込み１６の両端から下方に延出する一対の側部切り込み１７，１８とによって画定される。また、長辺壁板１，２は、上記舌片１５の下縁を画定するよう一対の側部切り込み１７，１８の下端を結ぶ折り曲げ容易線１９を有する。
【００５７】
図５の箱用シートにおける舌片１５は、図１の箱用シートにおける舌片１５よりも、一対の側部切り込み１７，１８の間隔が大きく図示されているが、一対の側部切り込み１７，１８の平均間隔としては、図１の箱用シートにおける舌片１５の一対の側部切り込み１７，１８の間隔と同様の範囲内とすることが好ましい。
【００５８】
当該箱用シートを組み立ててなる箱体では、１つの舌片１５によって、一対の蓋内フラップ８，９の両方の一側の側縁近傍を支持することができる。このため、当該箱用シートを組み立ててなる箱体の封函時に、箱体の内側に傾動させるべき舌片の数が少なく、封函作業が容易である。
【００５９】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６０】
当該箱用シートにおいて、舌片は、各蓋内フラップに対して１以上設けられればよい。つまり、当該箱用シートは、蓋内フラップを一方の側縁のみを舌片で支持するものであってもよい。
【産業上の利用可能性】
【００６１】
本考案に係る箱用シートは、包装箱として広く利用することができる。
【符号の説明】
【００６２】
１，２  長辺壁板
３，４  短辺壁板
５  四角筒状部
６，７  蓋外フラップ
８，９  蓋内フラップ
１０，１１  底外フラップ
１２，１３  底内フラップ
１４  継しろ
１５  舌片
１６  上部切り込み
１７，１８  側部切り込み
１９  折り曲げ容易線
【図１】
0003199167.tif 000003
【図２】
0003199167.tif 000004
【図３】
0003199167.tif 000005
【図４】
0003199167.tif 000006
【図５】
0003199167.tif 000007